(57)【要約】【課題】前方に並行して延出する上下２本の略棒状フック材を有するダブルフック状の商品陳列具に脱着可能な、簡易な構造を有するポップ表示具を提供する。【解決手段】少なくとも前後に対向する略シート状の第一の片及び第二の片を有し、それぞれ前記第一の片及び前記第二の片において対向する位置に設けられた第一開口部及び第二開口部と、前記第一の片において、前記第一開口部の上方又は下方に設けられた第三開口部と、を具備することを特徴とするポップ表示具。【選択図】図１
0003177436.tif 000002
【実用新案登録請求の範囲】
【請求項１】
前方に並行して延出する上下２本の略棒状の上側フック材及び下側フック材を有するダブルフック状の商品陳列具に脱着可能なポップ表示具であって、
少なくとも前後に対向する略シート状の第一の片及び第二の片を有し、
それぞれ前記第一の片及び前記第二の片において対向する位置に設けられた第一開口部及び第二開口部と、
前記第一の片において、前記第一開口部の上方又は下方に設けられた第三開口部と、
を有すること、を特徴とするポップ表示具。
【請求項２】
前記第一開口部及び前記第二開口部が上下に延びる略スリット状の開口部であり、前記第三開口部が水平に延びる略スリット状の開口部であること、を特徴とする請求項１に記載のポップ表示具。
【請求項３】
前記第一の片と前記第二の片とが別の片を介して連続していること、を特徴とする請求項１又は２に記載のポップ表示具。
【請求項４】
更に、前記第二の片に連続する更に別の片を有すること、を特徴とする請求項１〜３のうちのいずれかに記載のポップ表示具。
【考案の詳細な説明】
【技術分野】
【０００１】
本考案は、前方に並行して延出する上下２本の略棒状フック材を有するダブルフック状の商品陳列具に脱着可能なポップ表示具に関する。
【背景技術】
【０００２】
従来、スーパーマーケット、ドラッグストアー及び家電量販店等で用いられているフック状の商品陳列具として、例えば特許文献１（特開平１０−０８５０９４号公報）には、図８に示される商品陳列具が開示されている。
【０００３】
上記特許文献１で開示されている商品陳列具１００は、前方に並行して延出する上下２本の略棒状の上側フック材１０４及び下側フック材１０６を有し、上側フック材１０４及び下側フック材１０６は、図示しないが連続しており、例えば１本の棒状材を略コの字状に折り曲げて形成された構造を有している。
【０００４】
そして、このようなダブルフック状の商品陳列具１００では、下側フック材１０６には、その先端部１０６ａから商品を吊り下げ、上側フック材１０４には、その先端部に商品表示具１０２が取り付けられて利用されている。
【０００５】
商品表示具１０２は、カード挟持板１０２ａ及びカード支持基板部１０２ｂで構成されており、カード挟持板１０２ａは、カード支持基板部１０２ｂの前面にセットされるカード（図示せず。）を挟持するもので、カード支持基板部１０２ｂの前面に重ね合わせ状態に配置される。このカード挟持板１０２ａの下端縁は断面が略円弧状となる連接部を介してカード支持基板部１０２ｂの下端縁に一体に連接され、カードの差し込み及び抜き取りが可能なように開放された上端縁１０２ｃ及び両端縁１０２ｄを有する。
【０００６】
他方、例えば特許文献２（実用新案登録第３１６３４８１号明細書）においては、筒状広告体を内方より簡易に保形支持して安定的に自立させることができ、分解、組立を繰り返すことなく搬送でき、かつ広告体としてすっきりとした形状に形成できるポップアップ広告体が提案されている。
【先行技術文献】
【特許文献】
【０００７】
【特許文献１】特開平１０−０８５０９４号公報
【特許文献２】実用新案登録第３１６３４８１号明細書
【考案の概要】
【考案が解決しようとする課題】
【０００８】
しかしながら、上記特許文献２のポップアップ広告体は、安定的に自立できるものではあるが、上記特許文献１のダブルフック状の商品陳列具１００に取り付けられるものではなかった。
【０００９】
即ち、上記特許文献１のダブルフック状の商品陳列具１００においては、例えば複数の商品陳列具１００のうちの一つに、又は、例えば商品が欠品している場合の当該商品陳列具１００に、商品の名称、品質又は用途等を表示するポップ表示具を取り付けることが求められているものの、かかる要請を満たすポップ表示具はなかった。
【００１０】
そこで、本考案の目的は、前方に並行して延出する上下２本の略棒状フック材を有するダブルフック状の商品陳列具に脱着可能な、簡易な構造を有するポップ表示具を提供することにある。
【課題を解決するための手段】
【００１１】
本考案は、上記の課題を解決すべく、
前方に並行して延出する上下２本の略棒状の上側フック材及び下側フック材を有するダブルフック状の商品陳列具に脱着可能なポップ表示具であって、
少なくとも前後に対向する略シート状の第一の片及び第二の片を有し、
それぞれ前記第一の片及び前記第二の片において対向する位置に設けられた第一開口部及び第二開口部と、
前記第一の片において、前記第一開口部の上方又は下方に設けられた第三開口部と、
を有すること、を特徴とするポップ表示具を提供する。
【００１２】
このような構成を有する本考案のポップ表示具は、簡易な構造を有しており、前方に並行して延出する上下２本の略棒状の上側フック材及び下側フック材を有するダブルフック状の商品陳列具の上側フック材及び下側フック材のいずれか一方が、第一開口部及び第二開口部に挿入され、かつ、上記上側フック材及び下側フック材のいずれか他方が、第三の開口部に挿入されて、設置される。したがって、本考案のポップ表示具は、ダブルフック状の商品陳列具に対して、前後に位置する第一開口部及び第二開口部によって左右横方向にブレることなく固定され、上下に位置する第一開口部及び第三開口部によって前後縦方向にブレることなく固定されるという効果を奏する。また、第一の片又は第二の片に広告を表示することができ便利である。
【００１３】
上記本考案のポップ表示具においては、前記第一開口部及び前記第二開口部が上下に延びる略スリット状の開口部であり、前記第三開口部が水平に延びる略スリット状の開口部であること、が好ましい。
【００１４】
このような構成を有する本考案のポップ表示具は、前方に並行して延出する上下２本の略棒状の上側フック材及び下側フック材を有するダブルフック状の商品陳列具の上側フック材及び下側フック材のいずれか一方を、第一開口部及び第二開口部に挿入し易くかつ左右横方向にブレることなく固定し易い。また、上記商品陳列具の表品表示具を、第三開口部に挿入し易くかつ前後縦方向にブレることなく固定し易いという効果を奏する。
【００１５】
上記本考案のポップ表示具においては、前記第一の片と前記第二の片とが別の片を介して連続していること、が好ましい。
【００１６】
このような構成を有する本考案のポップ表示具は、著しく簡易な構造を有しており、かつ、折り畳むことができ収納及び搬送が便利であるという効果を奏する。
【００１７】
上記本考案のポップ表示具は、更に、前記第二の片に連続する更に別の片を有すること、が好ましい。
【００１８】
このような構成を有する本考案のポップ表示具は、簡単な構造を有し、第二の片に連続する更に別の片に広告を表示することができ便利である。
【考案の効果】
【００１９】
本考案に係るポップ表示具は、簡易な構造を有し、前方に並行して延出する上下２本の略棒状フック材を有するダブルフック状の商品陳列具に容易に脱着可能なポップ表示具である。
【図面の簡単な説明】
【００２０】
【図１】本考案の一実施形態に係るポップ表示具の斜視図である。
【図２】図１に示すポップ表示具１の展開図である。
【図３】図２に示す展開図から図１に示すポップ表示具１を組み立てる様子を示す斜視図である。
【図４】図１に示すポップ表示具１を折り畳む様子を示す斜視図である。
【図５】本考案のポップ表示具のサンプルをダブルフック状の商品陳列具に設置した様子を示す写真である。
【図６】図１に示すポップ表示具１を図８に示すダブルフック状の商品陳列具１００に設置する様子を示す図である。
【図７】図１に示すポップ表示具１を図８に示すダブルフック状の商品陳列具１００に設置した様子を示す図である。
【図８】前方に並行して延出する上下２本の略棒状の上側フック材１０４及び下側フック材１０６を有するダブルフック状の商品陳列具１００の部分斜視図である。
【考案を実施するための形態】
【００２１】
以下において、本考案のポップ表示具の一実施形態について、図面を参照しつつ詳細に説明するが、本考案はこれらのみに限定されるものではない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００２２】
図１及び図２に示す本実施形態のポップ表示具１は、図８に示すように前方に並行して延出する上下２本の略棒状の上側フック材１０４及び下側フック材１０６を有するダブルフック状の商品陳列具１００に脱着可能なポップ表示具である。
【００２３】
図８に示す商品陳列具１００は、前方に並行して延出する上下２本の略棒状の上側フック材１０４及び下側フック材１０６を有し、上側フック材１０４及び下側フック材１０６は、図示しないが、後方において連続しており、１本の棒状材を略コの字状に折り曲げて形成された構造を有している。
【００２４】
この商品陳列具１００の下側フック材１０６には、その先端部１０６ａから商品を吊り下げられ、上側フック材１０４には、その先端部に商品表示具１０２が取り付けられる。商品表示具１０２は、断面が略円弧状となる連接部を介して下端縁で一体に連接されたカード挟持板１０２ａ及びカード支持基板部１０２ｂで構成されている。
【００２５】
カード挟持板１０２ａは、カード支持基板部１０２ｂの前面にセットされるカード（図示せず。）を、カード支持基板部１０２ｂとの間で挟持するものであり、カードの差し込み及び抜き取りが可能なように開放された上端縁１０２ｃ及び両端縁１０２ｄを有し、カード挟持板１０２ａ及びカード支持基板部１０２ｂは、上側フック材１０４及び下側フック材１０６が延びる方向に対して略垂直方向に延びている。
【００２６】
かかる商品陳列具１００に脱着可能な本実施形態のポップ表示具１は、図１に示すように、前後に対向する略シート状の第一の片２ａ及び第二の片２ｂを有し、それぞれ第一の片２ａ及び第二の片２ｂにおいて対向する位置に設けられた第一開口部１０ａ及び第二開口部１０ｂと、第一の片２ａにおいて、第一開口部１０ａの上方に設けられた第三開口部８と、を有する。
【００２７】
これにより、図６及び図７を参照して後述するように、商品陳列具１００の下側フック材１０６が、本考案のポップ表示具１の第一開口部１０ａ及び第二開口部１０ｂに挿入され、かつ、商品陳列具１００の上側フック材１０４が、第三の開口部８に挿入されて、設置され、ポップ表示具１は、前後に位置する第一開口部１０ａ及び第二開口部１０ｂによって左右横方向にブレることなく固定され、上下に位置する第一開口部１０ａ及び第三開口部８によって前後縦方向にブレることなく固定されるという効果を奏する。
【００２８】
また、本実施形態において、第三開口部８の横幅は、商品表示具１０２の横幅と略同じに形成されている。これにより、商品陳列具１００の上側フック材１０４が、第三の開口部８に挿入されて、設置された場合、第三開口部８の下端が商品表示具１０２の下端を固定する役割も果たし、このことによっても、ポップ表示具１は左右横（回転）方向及び前後縦（回転）方向のブレを抑制しつつ固定される。
【００２９】
続いて、図面を参照しながら、本実施形態のポップ表示具１を更に詳細に説明すると、本実施形態のポップ表示具１は、図１に示すように、前後に対向する略矩形で略シート状の第一の片２ａ、第二の片２ｂ及び第三の片２ｃを有している。
【００３０】
そして、図２にも示すように、第一の片２ａと第二の片２ｂとが、略矩形で略シート状の別の片６ａを介して横方向に連続して設けられており、第一の片２ａと第三の片２ｃとが、略矩形で略シート状の更に別の片４ａを介して横方向に連続して設けられている。片４ａには、第一の片２ａとは反対側において、横方向に片４ｂが連続して設けられており、図１に示すように、片４ａと片４ｂとは対向している。更に、第二の片２ｂには、片６ａとは反対側において、のり代となる片６ｂが連続して設けられている。
【００３１】
第一開口部１０ａ及び第二開口部１０ｂは、概してそれぞれ上下略垂直方向に延びる略スリット状の開口部であり、互いに対向しており、左右方向及び上下方向において略一致する位置に設けられている。第一開口部１０ａは、スリット状部分１０ａ1と、当該スリット状部分１０ａ1の下端側に位置する略円状部１０ａ2と、で構成されており、第二開口部１０ｂは、スリット状部分１０ｂ1と、当該スリット状部分１０ｂ1の下端側に位置する略円状部１０ｂ2と、で構成されている。
【００３２】
略円状部１０ａ2及び略円状部１０ｂ2の直径は、それぞれスリット状部分１０ａ1及びスリット状部分１０ｂ1の幅よりも大きく構成されている。更には、スリット状部分１０ａ1及びスリット状部分１０ｂ1の幅は、商品陳列具１００の下側フック材１０６の直径と略同一か又は若干大きい。これにより、商品陳列具１００の下側フック材１０６を、より容易に第一開口部１０ａ及び第二開口部１０ｂに挿入することができ、かつ、ポップ表示具１は左右横方向にブレることなく固定できる。
【００３３】
第三開口部８は、概して左右略水平方向に伸びるスリット状の開口部であり、第一開口部１０ａの上方に設けられている。これには、商品陳列具１００の上側フック材１０４に設けられたカード挟持板１０２ａを容易に挿入することができ、カード挟持板１０２ａ及びカード支持基板部１０２ｂとの間で第一の片２ａを挟持して、ポップ表示具１は、前後縦方向にブレることなく固定される。
【００３４】
上記のような図１に示す本実施形態のポップ表示具１は、図２に示す展開図を図３に示す方法で組み立てることによって形成することができる。即ち、図２において各片を隔てる上下の線部分を全て山折りにし、のり代となる片６ｂを、例えば接着剤で片４ａの裏面に接着し、片６ｂに対向する片６ａを、例えば接着剤で片４ｂの裏面に接着することにより、図１に示すポップ表示具１を形成することができる。
【００３５】
また、図１に示す本実施形態のポップ表示具１は、設置時には、商品陳列具１００の上側フック材１０４に設けられた商品表示具１０２と、下側フック材１０６とで、立体的な広告材として有効に利用されるが、図４に示す矢印の方向に折り畳むことができ、したがって、収納及び搬送が便利である。したがって、本実施形態のポップ表示具１は、製造（組立）を工場等で行い、設置を商品の売場で行うことが、好適である。
【００３６】
図１に示す本実施形態のポップ表示具１を図８に示す商品陳列具１００に設置すると、概ね図５に示すような態様となる。ここで、図１に示す本実施形態のポップ表示具１を図８に示す商品陳列具１００に設置する方法を説明する。
【００３７】
図６に示すように、商品陳列具１００の上側フック材１０４の先端に設けられた商品表示具１０２のうちの、カード挟持板１０２ａのみを、本考案のポップ表示具１の第一開口部１０ａに挿入するとともに、商品陳列具１００の下側フック材１０６をその先端部１０６ａから、ポップ表示具１の第一開口部１０ａ及び第二開口部１０ｂに挿入していく。
【００３８】
そして、最終的に、図７に示すように、商品陳列具１００の商品表示具１０２のカード挟持板１０２ａ及びカード支持基板部１０２ｂで第一の片２ａを挟持させるとともに、商品陳列具１００の下側フック材１０６で、第一の片２ａの第一開口部１０ａの上端及び第二の片２ｂの第二開口部１０ｂの上端を支持するように、保持させる。
【００３９】
これにより、本考案のポップ表示具１は、前後に位置する第一開口部１０ａ及び第二開口部１０ｂによって、下側フック材１０６に左右横方向にブレることなく固定され、上下に位置する第三開口部８及び第一開口部１０ａによって、上側フック材１０４の先端に設けられた商品表示部１０２に前後縦方向にブレることなく固定される。
【００４０】
以上、本考案のポップ表示具の代表的な実施形態について説明したが、本考案はこれらのみに限定されるものではなく、種々の設計変更が可能である。第一開口部、第二開口部及び第三開口部の形状や寸法は上記のものに限定されるものではない。また、更に多くの開口部を有していてもよい。
【００４１】
また、上記実施形態においては、第一開口部の上方に第三開口部が位置する場合について説明したが、商品陳列具の形状によっては、第一開口部の下方に第三開口部を設けてもよい。
【００４２】
また、上記本実施形態においては、略直方体形状のポップ表示具について説明したが、本考案のポップ表示具は、略立方体形状であってもよく、略円筒形状であってもよい。例えば、第一の片、第二の片、第三の片、片４ａ又は片４ｂのいずれか一つ（以上）が湾曲していてもよい。また、第一の片、第二の片、第三の片、片４ａ又は片４ｂのいずれか一つ（以上）が、略円形状部分を有していてもよい。
【符号の説明】
【００４３】
１・・・ポップ表示具、
２ａ・・・第一の片、
２ｂ・・・第二の片、
２ｃ・・・第三の片、
４ａ、４ｂ、６ａ、６ｂ・・・片、
８・・・第三開口部、
１０ａ・・・第一開口部、
１０ｂ・・・第二開口部、
１００・・・商品陳列具、
１０２・・・商品表示具、
１０４・・・上側フック材、
１０６・・・下側フック材。
【図１】
0003177436.tif 000003
【図２】
0003177436.tif 000004
【図３】
0003177436.tif 000005
【図４】
0003177436.tif 000006
【図６】
0003177436.tif 000007
【図７】
0003177436.tif 000008
【図８】
0003177436.tif 000009
【図５】
0003177436.tif 000010